(57)【要約】【課題】本発明は、計測表示器の電極端子及びバイオセンサの電極が多数存在する場合であっても、バイオセンサの一端に設けられた電極を破損することなくバイオセンサを計測表示器から容易に抜き出すことのできるセンサ取付構造及び計測表示器を提供することを目的とする。【解決手段】表面１４側に突出部（被係合部）１６を有するバイオセンサ１８が、計測可能な状態に取り付けられる計測表示器１２のセンサ取付構造１０を、バイオセンサ１８を計測可能な状態で保持する保持手段２０と、保持手段２０に保持されたバイオセンサ１８を保持手段２０から離脱させる離脱手段２２と、を備えて構成し、離脱手段２２を、係合部材２４と、スライドレバー２６と、から構成した。【選択図】図１
2010078409.tif 000002
【特許請求の範囲】
【請求項１】
表面側若しくは裏面側、又は表面側及び裏面側に被係合部を有するバイオセンサが、計測可能な状態に取り付けられる計測表示器のセンサ取付構造であり、
前記バイオセンサを計測可能な状態で保持する保持手段と、
前記保持手段に保持されたバイオセンサを該保持手段から離脱させる離脱手段と、
を備え、
前記離脱手段が、前記取り付けられたバイオセンサの被係合部に係合される係合部材と、前記バイオセンサを取付口から抜き出す方向に前記係合部材をスライドさせるスライドレバーと、から構成されたセンサ取付構造。
【請求項２】
前記バイオセンサが、一端に電極を有し、他端に反応部を有し、該一端と該他端との中間部に前記被係合部を有し、該被係合部に前記係合部材を係合して該バイオセンサを取付口から抜き出す方向にスライドさせる請求項１に記載するセンサ取付構造。
【請求項３】
請求項１又は請求項２のいずれかに記載するセンサ取付構造を含む計測表示器 。
【発明の詳細な説明】
【技術分野】
【０００１】
本発明は、バイオセンサを取り付けるためのセンサ取付構造、及びそのセンサ取付構造を利用した計測表示器に関する。
【０００２】
従来から、バイオセンサによる血糖値等の計測値を算出して表示する計測表示器 が使用されている。この計測表示器
によれば、バイオセンサを計測表示器 に取り付けて検体を取り込み、血糖値等を算出して表示することにより、血糖値等を認識できる。そして、バイオセンサを取り外す機構に関して案出された計測表示器の出願がなされている（例えば、特許文献１参照。）。この計測表示器によれば、コネクタ内の複数の電極端子の間の隙間をスライドする押出部材をセンサの一端に当接してセンサを押し出すことができる。
【０００３】
しかし、この計測表示器の場合、コネクタ内の電極端子が多数存在する場合には、電極端子の間の隙間をスライドする押出部材を設けるのが困難であった。また、計測表示器に電極端子が多数存在する場合にはバイオセンサ側に電極が多数存在することとなるため、測定中等にバイオセンサの一端に設けられた電極に押出部材が当接して破損してしまうことも考えられる。
【０００４】
【特許文献１】特許第３９７７６１９号公報
【発明の開示】
【発明が解決しようとする課題】
【０００５】
そこで、本発明者は、このような課題の原因を究明してこのような課題を解決するべく、鋭意研究を重ねた結果、本発明に至ったのである。
【０００６】
すなわち、本発明は、計測表示器の電極端子及びバイオセンサの電極が多数存在する場合であっても、バイオセンサの一端に設けられた電極を破損することなくバイオセンサを計測表示器から容易に抜き出すことのできるセンサ取付構造及び計測表示器を提供することを目的とする。
【課題を解決するための手段】
【０００７】
本発明のセンサ取付構造は、表面側若しくは裏面側、又は表面側及び裏面側に被係合部を有するバイオセンサが、計測可能な状態に取り付けられる計測表示器のセンサ取付構造であり、
前記バイオセンサを計測可能な状態で保持する保持手段と、前記保持手段に保持されたバイオセンサを該保持手段から離脱させる離脱手段と、を備え、前記離脱手段が、前記取り付けられたバイオセンサの被係合部に係合される係合部材と、前記バイオセンサを取付口から抜き出す方向に前記係合部材をスライドさせるスライドレバーと、から構成されたことを特徴とする。
【０００８】
また、本発明のセンサ取付構造は、前記センサ取付構造において、前記バイオセンサが、一端に電極を有し、他端に反応部を有し、該一端と該他端との中間部に前記被係合部を有し、該被係合部に前記係合部材を係合して該バイオセンサを取付口から抜き出す方向にスライドさせることを特徴とする。
【０００９】
また、本発明の計測表示器は、前記センサ取付構造を含むことを特徴とする。
【発明の効果】
【００１０】
本発明のセンサ取付構造及び計測表示器によれば、バイオセンサの被係合部に係合された係合部材をスライドさせてバイオセンサを抜き出すことができる。このため、計測表示器の電極端子及びバイオセンサの電極が多数存在する場合であっても、バイオセンサの一端に設けられた電極を破損することなくバイオセンサを計測表示器から容易に抜き出すことができる。
【発明を実施するための最良の形態】
【００１１】
次に、本発明に係るセンサ取付構造及び計測表示器について、図面に基づいて詳しく説明する。図１及び図２において、符号１０は本発明のセンサ取付構造を示し、符号１２は本発明の計測表示器を示す。
【００１２】
本発明のセンサ取付構造１０は、表面１４側に突出部（被係合部）１６を有するバイオセンサ１８が、計測可能な状態に取り付けられる計測表示器１２のセンサ取付構造であり、バイオセンサ１８を計測可能な状態で保持する保持手段２０と、保持手段２０に保持されたバイオセンサ１８を保持手段２０から離脱させる離脱手段２２と、を備え、離脱手段２２が、取り付けられたバイオセンサ１８の突出部１６に係合される係合部材２４と、バイオセンサ１８を取付口２５から抜き出す方向に係合部材２４をスライドさせるスライドレバー２６と、から構成されている。よって、本発明の計測表示器１２は、このようなセンサ取付構造１０を含む計測表示器である。
【００１３】
バイオセンサ１８は、ベース１９上にスペーサ２１を介してカバー２３が固定されて構成され、容器から取り出して卓上面に載置した時に指を引っ掛けることができるように、表面１４に四角柱形状の突出部１６が設けられている。また、バイオセンサ１８は、５個の電極２８側の一端３０と反応部３２側の他端３４との中間部に突出部１６を有し、この突出部１６を係合部材２４によって係合してバイオセンサ１６を取付口２５から抜き出す方向にスライドさせることができる。バイオセンサ１８は、血糖値の測定用の電極２８（ａ）の他に、計測表示器１２への取付けを確認するための電極２８（ｂ）及び血液が所定量以上導入されたことを確認するための電極２８（ｂ）、２８（ｃ）が設けられ、合計５個の電極が設けられている。
【００１４】
保持手段２０は、バイオセンサ１８をスライド可能に挿入できるセンサガイド３６と、６個の電極端子３８が支持された電極端子ハウジング４０と、から構成されている。取り付けたバイオセンサ１８とセンサガイド３６との摩擦力は、取り付けたバイオセンサ１８から電極端子３８が解除された状態で取り付けたバイオセンサ１８側を下に向ければバイオセンサ１８が自重によって落下する程度であることが好ましい。保持手段２０は、弾性を有する電極端子３８が電極２８を押圧することにより、バイオセンサ１８を計測可能な状態で保持できる。電極端子３８の弾性力は、取り付けたバイオセンサ１８側を下に向けてもバイオセンサ１８が自重によって落下しない程度であることが好ましい。
【００１５】
係合部材２４は、バイオセンサ１８の突出部１６に係合されながらセンサガイド３６の溝４２に沿ってスライド可能なように設けられている。スライドレバー２６は、係合部材２４に固定され、函体４４の溝４６に沿ってスライド可能なように設けられている。また、スライドレバー２６は、バネ４８によって溝４６の一端５０に当接する方向に付勢力が付与され、バイオセンサ１８を抜き出した状態においては、溝４６の一端５０に当接するように構成されている。
【００１６】
このような構成のセンサ取付構造１０及び計測表示器１２を用いて血糖値を測定する場合、バイオセンサ１８が図１（ａ）に示すように計測表示器１２に取り付けられた状態で、バイオセンサ１８の反応部３２に血液が付着される。この時、係合部材２４がバイオセンサ１８の突出部１６に係合されている。また、電極端子３８がバイオセンサ１８を押圧することにより、バイオセンサ１８が落下しないで保持される。
【００１７】
血糖値の測定が終了すると、スライドレバー２６を指によって溝４６に沿ってスライドさせる。スライドレバー２６をスライドさせることにより、係合部材２４がバイオセンサ１８の突出部１６を押圧し、図２（ａ）に示すように、バイオセンサ１８がスライドして電極端子３８から解除させられる。更にスライドレバー２６をスライドさせると、図２（ｂ）に示すように、バイオセンサ１８の略半分が取付口２５の外に抜き出された状態となり、最大限までスライドしたスライドレバー２６は溝４６の他端５２に当たって停止する。この状態で、計測表示器１２の取付口２５側が下になるように傾けると、図２（ｃ）に示すように、バイオセンサ１８が自重によって落下して取り外される。なお、スライドレバー２６から指を離すことにより、バネ４８の付勢力によって、スライドレバー２６は、図２（ｃ）に示すように、逆方向に戻される。
【００１８】
このようなセンサ取付構造１０及び計測表示器１２によれば、突出部１６の設けられた中間部を押圧してバイオセンサ１８を抜き出すことができる。このため、一端３０を押圧して抜き出すのと異なり、押し出すための部材が一端３０に存在する５個の電極２８に当節して測定中等に破損してしまうことがないばかりでなく、バイオセンサ１８のベース１９が湾曲したり破損するのを防止できる。また、電極が存在しなくて最も強度が高い突出部１６を押圧して抜き出す構成であるため、バイオセンサ１８に確実に係合して抜き出すことができる。さらに、計測表示器１２の電極端子３８及びバイオセンサ１８の電極２８が多数存在する場合であっても、バイオセンサ１８を容易に抜き出すことができる。
【００１９】
以上、本発明の一実施形態について説明したが、本発明はその他の態様でも実施できる。例えば、図３に示すセンサ取付構造６０及び計測表示器６２であってもよい。センサ取付構造６０及び計測表示器６２は、突出部１６が他端３４側に設けられたバイオセンサ６４であっても抜き出すことができるように、係合部材２４が押圧棒６６を備えている。また、溝４６の一端５０に当接する方向に付勢力を付加するために引っ張りバネ６８を備えている。
【００２０】
また、本発明は図示した実施形態には限定されない。例えば、本発明に使用するバイオセンサは、従来のバイオセンサに突出部を固定したバイオセンサであってもよい。また、血糖値の測定用の電極、計測表示器への取付けを確認するための電極、及び血液が所定量以上導入されたことを確認するための電極の他、血液の導入開始を確認するための電極が設けられたバイオセンサであってもよい。また、バイオセンサ１８のカバー２３を厚く構成し、カバー２３の一端面２７自体が表面側の被係合部を形成するようにしてもよい。また、係合部材は図１（ａ）のようなＬ字型に限定されず、被係合部をスライドさせることができる形状であればよい。その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２１】
本発明のセンサ取付構造及び計測表示器によれば、計測表示器の電極端子及びバイオセンサの電極が多数存在する場合であっても、バイオセンサの一端に設けられた電極を破損することなくバイオセンサを計測表示器から容易に抜き出すことができる。このため、被係合部を有するバイオセンサを取り付けて使用するセンサ取付構造及び計測表示器として広く利用できる。
【図面の簡単な説明】
【００２２】
【図１】本発明のセンサ取付構造及び計測表示器を示す図であり、同図（ａ）は側面断面図であり、同図（ｂ）はＡ−Ａ線切断部断面図であり、同図（ｃ）はＢ−Ｂ線切断部断面図である。
【図２】図１のセンサ取付構造及び計測表示器の使用状態を示す側面断面図であり、同図（ａ）はスライドレバーのスライドを開始した状態を示す図であり、同図（ｂ）はスライドレバーを最大限までスライドさせた状態を示す図である。
【図３】本発明のセンサ取付構造及び計測表示器の他の実施形態を示す側面断面図である。
【符号の説明】
【００２３】
１０、６０：センサ取付構造
１２、６２：計測表示器
１４：表面
１６：突出部（被係合部）
１８：バイオセンサ
２０：保持手段
２２：離脱手段
２４：係合部材
２６：スライドレバー
２８（ａ），２８（ｂ），２８（ｃ）：電極
３２：反応部
３６：センサガイド
３８：電極端子
４０：電極端子ハウジング
【図１】
2010078409.tif 000003
【図２】
2010078409.tif 000004
【図３】
2010078409.tif 000005